(57)【要約】      （修正有）【課題】デバイスに連結されたハンドルのためのシステム、方法、および、装置に関する。【解決手段】デバイスに解除可能に連結されたハンドル１０に関する。さらには、デバイスに解除可能に連結されるハッチ２０に解除可能に連結されるハンドルに関する。さらには、デバイスに確実にかつ解除可能に連結される二軸切り替えハンドルに関する。さらに他では、解除可能なハッチを介して解除可能なハンドルに連結されるデバイスに関し、ハンドルはハンドルを伸長させるための手段を随意に有する。随意に、デバイスはそれに固定された電子デバイスを有し、かつ、電子デバイスはコンピュータデバイスと通信するための少なくとも１つの手段を有する。【選択図】図１１
2018136325.tif 000002
【特許請求の範囲】
【請求項１】
モバイルデバイス用のハンドル取り付け具であって、
該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定される、モバイルデバイス用のハンドル取り付け具。
【請求項２】
前記ハンドルは把持部分を有し、前記把持部分は少なくとも１つの把持手段を有する、請求項１に記載のモバイルデバイス用のハンドル取り付け具。
【請求項３】
前記ハンドルは把持部分を有し、前記把持部分は少なくとも１つの把持手段を有し、前記少なくとも１つの把持手段は、ゴム把持手段、粗面把持手段、一連のくぼみ、一連の突部、およびそれらの組み合わせからなる群から選択される、請求項１に記載のモバイルデバイス用のハンドル取り付け具。
【請求項４】
前記ハンドルの前記後端は少なくとも１つの嵌合用盲穴を有する、請求項１に記載のモバイルデバイス用のハンドル取り付け具。
【請求項５】
前記ハンドルの前記後端は少なくとも１つの嵌合用盲穴を有し、前記少なくとも１つの嵌合用盲穴は少なくとも１つの係合手段を有する、請求項１に記載のモバイルデバイス用のハンドル取り付け具。
【請求項６】
前記ハンドルの前記後端は少なくとも１つの嵌合用盲穴を有し、前記少なくとも１つの嵌合用盲穴は、伸長ハンドルを固定して係合するための少なくとも１つの係合手段を有する、請求項１に記載のモバイルデバイス用のハンドル取り付け具。
【請求項７】
前記ハンドルの前記後端は少なくとも１つの嵌合用盲穴を有し、前記少なくとも１つの嵌合用盲穴は、伸長ハンドルを固定して係合するための少なくとも１つの係合手段を有し、前記伸長ハンドルは延長ポール、入れ子式のポール、およびこれらの組み合わせからなる群から選択される、請求項１に記載のモバイルデバイス用のハンドル取り付け具。
【請求項８】
前記ハッチは少なくとも１つのストッパーを有する、請求項１に記載のモバイルデバイス用のハンドル取り付け具。
【請求項９】
前記ハッチの前記伸長部は第１の側壁と第２の側壁を有し、前記第１の側壁は第１のハッチ軸を有し、前記第２の側壁は第２のハッチ軸を有し、前記第１のハッチ軸は前記第２のハッチ軸の対向する側にある、請求項１に記載のモバイルデバイス用のハンドル取り付け具。
【請求項１０】
前記ハッチは第１の脚伸長部と第２の脚伸長部を有し、前記第１の脚伸長部は第１のロック手段を有し、前記第２の脚伸長部は第２のロック手段を有し、前記第１のロック手段と前記第２のロック手段は前記ハッチを前記ハンドルに着脱可能に固定する、請求項１に記載のモバイルデバイス用のハンドル取り付け具。
【請求項１１】
前記デバイスの前記第１の部分は、少なくとも１つのディスプレイ領域を有する、請求項１に記載のモバイルデバイス用のハンドル取り付け具。
【請求項１２】
前記デバイスは内部に収容される少なくとも１つの電子部品を有し、前記少なくとも１つの電子部品は、少なくとも１つのコンピュータに電子通信するための少なくとも１つの手段を有する、請求項１に記載のモバイルデバイス用のハンドル取り付け具。
【請求項１３】
前記デバイスは少なくとも１つのアンチスキッド手段を有する、請求項１に記載のモバイルデバイス用のハンドル取り付け具。
【請求項１４】
前記デバイスは少なくとも１つのアンチスキッド手段を有し、前記少なくとも１つのアンチスキッド手段は、ゴム把持手段、粗面把持手段、一連のくぼみ、一連の突部、およびそれらの組み合わせからなる群から選択される、請求項１に記載のモバイルデバイス用のハンドル取り付け具。
【請求項１５】
前記デバイスは少なくとも１つのバッテリー格納部を有する、請求項１に記載のモバイルデバイス用のハンドル取り付け具。
【請求項１６】
前記デバイスの底面にはインクリザーバーが設けられる、請求項１に記載のモバイルデバイス用のハンドル取り付け具。
【請求項１７】
前記デバイスの底面にはインクリザーバーが設けられ、取り外し可能なキャップが前記インクリザーバーを覆う、請求項１に記載のモバイルデバイス用のハンドル取り付け具。
【請求項１８】
前記デバイスの空洞には少なくとも１つの第１の係合手段と少なくとも１つの第２の係合手段があり、ハッチを前記デバイスに着脱可能に固定するために、前記少なくとも１つの係合手段は前記第１のハッチ軸と係合し、前記少なくとも１つの第２の係合手段は前記第２のハッチ軸と係合する、請求項１に記載のモバイルデバイス用のハンドル取り付け具。
【請求項１９】
モバイルデバイス用のハンドル取り付け具であって、
該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定され、および、
（ｅ）前記デバイスは、少なくとも１つの電子デバイスを収容するための少なくとも１つのチャンバを有する、モバイルデバイス用のハンドル取り付け具。
【請求項２０】
モバイルデバイス用のハンドル取り付け具であって、
該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定され、および、
（ｅ）前記デバイスは、少なくとも１つの電子デバイスを収容するための少なくとも１つのチャンバを有し、および、前記少なくとも１つの電子デバイスは少なくとも１つのコンピュータデバイスと通信するための少なくとも１つの手段を有する、モバイルデバイス用のハンドル取り付け具。
【発明の詳細な説明】
【背景技術】
【０００１】
＜関連出願への相互参照＞
本特許出願は、２０１３年１月２日に出願された「ＳＹＳＴＥＭ，ＭＥＴＨＯＤＳ  ＡＮＤ  ＡＰＰＡＲＡＴＵＳ  ＦＯＲ  Ａ  ＨＡＮＤＬＥ  ＡＴＴＡＣＨＭＥＮＴ」という名称の、係属中の米国仮特許出願番号６１／７４８，４２１の優先権および利益を主張し、この仮出願の全体の開示が参照により本明細書中に組み込まれる。
【技術分野】
【０００２】
本発明は、一般に、デバイスに連結されたハンドルのためのシステム、方法、および装置に関する。より具体的には、本発明の態様はデバイスに解除可能に連結されたハンドルに関する。さらには、本発明の態様は、デバイスに解除可能に連結されるハッチに解除可能に連結されるハンドルに関する。さらには、本発明の態様は、デバイスに確実にかつ解除可能に連結された、二軸切り替えハンドル（ａ  ｔｗｏ−ａｘｉｓ  ｐｉｖｏｔｉｎｇ  ｈａｎｄｌｅ）に関する。さらに他の態様では、本発明は、解除可能なハッチを介して解除可能なハンドルに連結されるデバイスに関し、該ハンドルは随意にハンドルを伸長させるための手段を有する。随意に、デバイスはそれに固定された電子デバイスを有し、かつ、電子デバイスはコンピュータデバイスと通信するための少なくとも１つの手段を有する。
＜背景情報＞
【０００３】
大工、電気技術者、棚据付業者（ｃａｂｉｎｅｔ  ｉｎｓｔａｌｌｅｒｓ）などの建築職人は、しばしば、例えば壁面を形成する据え付けられたシートロックまたは壁板など壁面の後ろの、金属、木製およびプラスチックのスタッドを含むがこれらに限定されない壁スタッド、金属物体、木製物体、熱シグネチャ（ｈｅａｔ  ｓｉｇｎａｔｕｒｅｓ）、電気配線、配管、および、埋め込まれまたは隠された他の気体、液体、または固体、の位置を突き止める問題に直面する。例えば、このような壁は、通常、中心間が約１６インチ幅になるように配置された壁スタッドで形成され、このスタッドは、約１／８インチから約３／４インチの範囲の様々な厚さのシートロックまたは合板などの壁材料に釘付けされる。壁の仕上げおよび塗装後には、釘、スタッドの位置、電気配線、配管およびパイピング、および埋め込まれまたは隠された気体、液体および固体は、視覚的に見つけられない。
【０００４】
例えば壁スタッドの場合には、現在、壁スタッドの位置を突き止めるために一般に用いられている方法は、主として磁性材料の存在下で旋回するように支持された磁石から成るスタッド探知機を利用することを含む。この探知機は、スタッド上で壁板を保持する釘の頭と一直線になるまで、壁面に沿って移動する。スタッド探知機のこの形態は、ケーシング内に収容され、ポータブルセンサとして使用される。
【０００５】
壁スタッドの位置を突き止める追加の方法には、壁面の後ろに配置された壁スタッドの位置を突き止めるためのポータブルセンサを、壁面に沿って動かすことにより利用することが含まれ、該センサーは、壁面に最も近い、壁面中に取り付けられたコンデンサプレート、壁面の後ろおよびコンデンサのすぐ隣に配置されたスタッドの位置によって引き起こされる壁の誘電率の変化に起因するコンデンサプレートの静電容量における変化を検知するための回路、および、コンデンサプレートの静電容量の変化を示すための手段、を組み合わせて含んでおり、これにより壁スタッドの位置を示す。この方法および装置は、米国特許第４，０９９，１１８号（Ｒｏｂｅｒｔ  Ｃ．  Ｆｒａｎｋｌｉｎ、ｅｔ  ａｌ．）に十分に記載されており、参照により本明細書に完全に組み込まれる。
【０００６】
したがって、スタッドの位置を突き止めるための以前の試みは、単に携帯型のものでしかなかったことが理解されうる。これは、スタッドセンサの使用をユーザーの身長および／または腕の長さまでに著しく制限した。さらに、ユーザーが、例えば高い壁または天井のようなユーザーの身体的能力を超えるスタッドの位置を測定したい場合、ユーザーは使用領域を拡大するために、椅子またははしごまたは他のデバイスを使用しなければならないだろう。依然としてさらに、ユーザーが床上または床に近いスタッドの位置を測定したい場合、壁または床を走査するために、ユーザーは両手と両膝をつかなければならないだろう。両方の従来の既存の方法は、退屈で、時間を消費し、潜在的には危険である。
【０００７】
本発明は先行技術の不備を改良し、ハンドル取り付け具のための、進歩性のあるシステム、方法および装置を提供する。
【発明の概要】
【０００８】
一態様における本発明は、ハンドル取り付け具のための進歩性のあるシステム、方法、および装置である。
【０００９】
したがって、本発明の１つの目的はデバイスに解除可能にハンドルを連結することである。
【００１０】
本発明の別の目的は、デバイスに解除可能に連結されるハッチに解除可能に連結されるハンドルを提供することである。
【００１１】
本発明のさらなる別の目的は、デバイスに確実にかつ解除可能に連結される、二軸切り替えハンドルを提供することである。
【００１２】
本発明のなおさらなる別の目的は、デバイスに解除可能に連結されたハンドルを提供することであり、該ハンドルは、入れ子式に伸長して、デバイスの到達範囲を床から天井まで伸長させることができる。
【００１３】
したがって、１つの態様では、本発明はモバイルデバイス用のハンドル取り付け具を含み、該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定される。
【００１４】
別の態様では、本発明はモバイルデバイス用のハンドル取り付け具を含み、該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定され、および、
（ｅ）前記デバイスは、少なくとも１つの電子デバイスを収容するための少なくとも１つのチャンバを有する。
【００１５】
さらに別の態様では、本発明はモバイルデバイス用のハンドル取り付け具を含み、該ハンドル取り付け具は、
（ａ）先端と後端を有するハンドルであって、前記先端が第１の先端軸と第２の先端軸を有し、前記第１の先端軸と前記第２の先端軸が前記先端の対向する側にある、ハンドルと、
（ｂ）第１のハッチ軸と第２のハッチ軸を有するハッチであって、前記第１のハッチ軸と前記第２のハッチ軸が前記ハッチの対向する側にあり、前記ハッチがさらに伸長部を有し、前記伸長部が第１のばね係合手段と第２のばね係合手段を有し、前記ハッチが第１のチャネル壁と第２のチャネル壁によって形成されるチャネル領域をさらに有する、ハッチと、
（ｃ）第１の部分、第２の部分、および第３の部分を有するデバイスであって、前記第２の部分が前記ハッチの少なくとも一部を着脱可能に収容するための盲穴を有する、デバイスとを備え、
（ｄ）前記ハンドルの前記先端の一部は、前記第１の先端軸が前記第１のチャネル壁と前記第２のチャネル壁によって着脱可能に固定されるように、前記ハッチの一部へ挿入され、および、前記第２の先端軸は、前記第１のばね係合手段と前記第２のばね係合手段によって着脱可能に固定され、前記ハッチは、モバイルデバイス用の前記ハンドル取り付け具を形成するために前記盲穴内で前記デバイスに着脱可能に固定され、および、
（ｅ）前記デバイスは、少なくとも１つの電子デバイスを収容するための少なくとも１つのチャンバを有し、および、前記少なくとも１つの電子デバイスは少なくとも１つのコンピュータデバイスと通信するための少なくとも１つの手段を有する。
【図面の簡単な説明】
【００１６】
本発明の範囲は任意の特定の実施形態よりはるかに広いが、好ましい実施形態の詳細な記載は図面と一緒に続く。これらの図面は例示目的に過ぎず、正確な縮尺で描かれているわけではない。類似する数字は図面の類似する特徴や構成要素を表す。本発明は、添付の図面と共に次の詳細な記載を参照することで最も良く理解され得る。
【００１７】
【図１】本発明のハンドルの典型的な実施形態の側面図を描く。
【図２】本発明のハンドルの典型的な実施形態の斜視図を描く。
【図３】本発明のハッチの典型的な実施形態の側面図を描く。
【図４】本発明のハッチの典型的な実施形態の平面図を描く。
【図５】本発明のハッチの典型的な実施形態の底面図を描く。
【図６】本発明のハッチの典型的な実施形態の底面斜視図を描く。
【図７】本発明の受け部材と篏合されるような、本発明のハンドルの典型的な実施形態の底面斜視図を描く。
【図８】本発明のハンドルの典型的な実施形態の平面斜視図を描く。
【図９】モバイルデバイスを示す本発明の典型的な実施形態の斜視図を描く。
【図１０】モバイルデバイスの本発明の典型的な実施形態の側面図を描く。
【図１１】受け部材によって工具と篏合されたハンドルを例示する本発明の典型的な実施形態の斜視図を描く。
【図１２】受け部材により工具と篏合され、かつ、ハンドル伸長部をさらに有する、ハンドルを例示する本発明の典型的な実施形態の側面図を描く。
【図１３】本発明の典型的な実施形態の底面図を描く。
【図１４】本発明のハッチの典型的な実施形態と、本発明の典型的な工具の空洞の典型的な実施形態の側面斜視図を描く。
【図１５】本発明の典型的な実施形態の使用法を描く。
【図１６】本発明の典型的な実施形態の使用法を描く。
【発明を実施するための形態】
【００１８】
最初に、本発明の態様が、例えば、限定されないが、金属、木製、およびプラスチックのスタッドを含む、壁スタッド、金属物体、木製物体、熱シグネチャ、電気配線、配管、および他の埋め込まれた又は隠された気体、液体、または固体などの、埋め込まれた物体のために表面を走査する工具、コンピュータ、およびデバイスを実装され得ることが理解される。
【００１９】
図１は、本発明のハンドルまたはワンド１０の典型的な実施形態の側面図を示す。ハンドル１０は、先端または先端部分１２、把持部分１８、および後端１６を有する。先端部分１２は、示されるように、少なくとも１つの典型的な軸、タブ、または雄部分、すなわち係合手段１３、１４を有する。少なくとも１つの典型的な軸１３、１４は、好ましくは、先端部分１２の反対側にある。把持部分１８は、随意に、少なくとも１つの把持手段１５を有し、ここで少なくとも１つの把持手段１５は、数例を挙げると、ゴム把持手段１５、粗面把持手段１５、一連のくぼみ１５、一連の突部１５、およびそれらの組み合わせを含む群から選択される。先端１２上の軸１３、１４が、別のデバイス／工具と嵌合したときに交換可能であるように、対称的であることが好ましい。
【００２０】
図２は、本発明のハンドル１０の典型的な実施形態の斜視図を示す。少なくとも１つの軸１３、１４は、この典型的な実施形態においても示される。後端１６は、好ましくは、少なくとも１つの開口部、盲穴または盲空洞、すなわち雌係合手段１７を有する。開口部１７は、好ましくは、例えば、ねじ山１９などの少なくとも１つの係合手段１９を有する。係合手段１９は、図１２、図１５、図１６に示される、延長ポール７０、または入れ子式のポール８０などの、別のデバイスをハンドル１０と嵌合させるために使用され得る。
【００２１】
図３は、典型的なハッチ２０としてここで示される、本発明の受け部材２０の典型的な実施形態の側面図を示す。受け部材２０、またはクリップ２０、すなわちハッチ２０は、上面または上部面、すなわち第１の面２１、および底面すなわち第２の面２８を有する。第２の面２８は、少なくとも１つの止め具すなわちストッパー２２、および伸長部３０を有する。伸長部３０は、図４、図５、および図６により明確に示されるように、片側面に、軸、タブ、または雄部分、すなわち係合手段２４を有する、側壁またはアーム２６、および他面、好ましくは反対面に、軸、タブ、または雄部分、すなわち係合手段２５を有する、側壁またはアーム２７を有する。
【００２２】
図４は、図４、５、および６により明確に示されるように、上部面または上面２１、止め具２２、反対面に、軸、タブ、または雄部分、すなわち係合手段２４を有する、側壁またはアーム２６、および他面、好ましくは反対面に、軸、タブ、または雄部分、すなわち係合手段２５を有する、側壁またはアーム２７を有する、典型的なハッチ２０としてここで示される、本発明の受け部材２０の典型的な実施形態の平面図を示す。
【００２３】
図５は、典型的なハッチ２０としてここで示される、本発明の受け部材２０の典型的な実施形態の底面図を示す。本発明の典型的な実施形態では、少なくとも１つの軸２４、２５が示される。１つの実施形態では、軸２４および２５の少なくとも１つの端部は、凸状であり、それによって、軸２４、２５は、過大応力を加えられると取り外され、ハッチ２０、すなわち受け部材２０を解除することができる。１つの実施形態では、軸２４、２５の少なくとも１つの端部は、凸状ではない。ハッチ２０の底面すなわち第２の面２８は、ロック手段３６、３７をそれぞれ有する、脚伸長部３４および３５を有している。図７でより明確に示されるように、脚伸長部３４、３５は、ロック手段３６、３７とともに、ハンドル１０の軸１３、１４との解除可能な係合のために、ロック領域３３を形成する。脚伸長部３４、３５はまた、それぞれ、ばねアームすなわちばね手段２６、２７を形成する。底面すなわち第２の面２８はまた、第１のチャネル壁３８と第２のチャネル壁３９との間にチャネル領域３１を有している。
【００２４】
図６は、本発明のハッチ２０の典型的な実施形態の底面斜視図を示す。示された実施形態では、典型的なハッチ２０の典型的なアーム３４、３５は、図７により明確に示されるように、典型的なハンドル１０を固定可能に保持するために、ばねが付けられている。別の実施形態では、ばねが付けられたアーム３４と３５との間の空間３３によって、ハンドル１０の軸１３、１４は、横軸に沿って確実に回転することができる。図７でより明確に示されるように、ハンドル１０の軸１３、１４は、チャネル壁３８、３９内を止め具２２の方へとガイドされ、典型的なハッチ２０の内部にあると、軸１３、１４は、ロック領域３３およびロック手段３６、３７内で固定可能に、および着脱可能に保持される。
【００２５】
図７は、本発明の受け部材２０と嵌合した、本発明のハンドル１０の典型的な実施形態の底面斜視図を示し、１つの実施形態では、典型的なハッチ２０の典型的なアーム２６、２７は、ハンドル１０を受けるためにばねが付けられている。１つの実施形態では、典型的なハンドル１０の少なくとも１つの軸１３、１４は、典型的なハッチ２０のアーム２６と２７との間にぴったりと合う。止め具２２は、ハンドル１０が受け部材２０と着脱可能に嵌合した後に、先端１２が前進するのを防ぐ。図７および図８に示されるように、典型的なハンドル１０は、受け部材２０と嵌合すると、矢印８１および８２によって示されるように、受け部材２０内で横軸に沿って、あるいは左側または第１の側から右側または第２の側まで確実に回転する。見られるように、第１の軸１３、１４は、ハッチ２０にスライドし、伸長部３０のばねが付けられた部材３４、３５、３６、３７によって固定可能に、および着脱可能に保持され、一方で第２の軸１４、１３（図示せず）は、ロック領域３３の近くで、チャネル３８、３９内に固定可能に、および着脱可能に保持される。
【００２６】
図８は、典型的なハッチ２０としてここで示される、典型的な受け部材２０と連結したハンドル３０の典型的な実施形態の平面斜視図を示す。
【００２７】
図９は、モバイルデバイスまたは工具５０を示す本発明の典型的な実施形態の斜視図を示す。モバイルデバイスまたは工具５０は、前面部分５２、中央部分５４、背面部分すなわち後面部分５６、上部部分すなわちは第１の部分５７、およびより下部部分すなわち第２の部分５９を有している。好ましくは、前面部分５２は、ディスプレイまたはディスプレイ領域５５、および少なくとも１つのボタン、またはスイッチ５１を有している。中央部分５４が、軸１３、１４を有する、先端１２の一部に沿った受け部材２０を収容するために、ハッチ空洞または盲穴４０を有することが好ましい。背面部分すなわち後面部分５６は、随意に、穴または開口部４９を有する伸長部４８を有することができる。示された典型的なハンドル１０は、典型的なハッチ２０としてここで示される典型的な受け部材２０から分離される。少なくとも１つの典型的な軸１３、１４はまた、受け部材２０と嵌合するために使用されるハンドル１０の先端１２上に示される。随意に、工具５０は、少なくとも１つのアンチスキッド手段すなわち把持手段５３を有し得、ここで少なくとも１つの把持手段５３は、数例を挙げると、ゴム把持手段５３、粗面把持手段５３、一連のくぼみ５３、一連の突部５３、およびそれらの組み合わせを含む群から選択され得る。
【００２８】
図１０は、工具またはモバイルデバイスの５０の本発明の典型的な実施形態の側面図を示し、ここで、典型的なハンドル１０は、典型的なハッチ２０としてここで示される典型的な受け部材２０から分離される。この典型的な実施形態では、少なくとも１つの軸１３、１４は、典型的な受圧部材２０と連結されるか又は嵌合されるところであるハンドル１０の先端１２上に示される。幾つかの適用のために、工具５０の下面すなわち第２の面５９上に少なくとも１つのパッド５８を有することが好ましい。
【００２９】
図１１は、受け部材２０によって工具５０と嵌合したハンドル１０を例示する本発明の典型的な実施形態２３の斜視図を示す。示された典型的な実施形態では、典型的なハンドル１０は、典型的な受け部材２０に解除可能に連結されている。この典型的な実施形態では、典型的なハンドル１０は、典型的なハッチ２０に解除可能に連結されている。しかしながら、別の典型的な実施形態では、典型的な受け部材２０は、工具５０と解除可能に連結されなくてもよく、固定されてもよい。本発明の典型的な実施形態では、ハンドル１０は、ハンドル１０の挿入端１２上に少なくとも１つの典型的な軸１３、１４を有している。１つの実施形態では、ハンドル１０の先端１２は、ハンドル１０の挿入端１２上に少なくとも１つの典型的な軸１３、１４を有している。この典型的な実施形態では、ハンドル１０の先端１２は、典型的なハッチ２０の受け部分と係合されている。典型的なハンドル１０の典型的な軸１３、１４は、図７および図８を参照してより明確に示されるように、ハンドル１０がハッチ２０と連結されたときに横軸上で揺れる（ｓｗｉｎｇ）ことを可能にする。
【００３０】
図１１に示される実施形態において、典型的なハンドル１０の典型的な受け部材２０と連結される典型的なハンドル１０の対向端又は後端１６は、少なくとも１つの更なる伸長部材７０、８０を受けるように設計され、図１２、１５、１６に示されるように、ユーザー７５が工具５０の動作の領域を更に広げることを可能にする。一実施形態において、典型的なハンドル１０は、更なる伸長部材７０、８０を受けるように、事実上全体的又は部分的に管状であり得る。一実施形態において、典型的なハンドル１０はまた、伸長部材７０、８０とのより確実な連結を可能にするように、螺合され得る１９。別の実施形態において、典型的なハンドル１０は、典型的なハンドル１０へと挿入される、より小さな管状伸長部材７０、８０を受けるように設計され得る。別の実施形態において、典型的な伸長部材７０、８０はまた、追加の伸長部材７０、８０を更に受けるように設計され得る。別の典型的な実施形態において、伸長部材７０、８０は、所望の長さを達成するために引き込まれ且つ引き出され得る、折り畳み式管状挿入物７０、８０であり得る。別の典型的な実施形態において、伸長部材７０、８０は、入れ子式の伸長部材７０、８０であり得る。
【００３１】
図１２は、受け部材２０を介して工具５０と嵌合したハンドル１０を例示し、且つハンドル伸長部７０を更に有する、本発明の典型的な実施形態２３の側面図を表す。工具５０は、空洞又はチャンバ６１内に電子デバイス６０を設けることができる。電子デバイス６０は、好ましくは有線媒体９１又は無線媒体９１などの媒体９１を使用して、好ましくは別の電子デバイス６０、コンピュータ９０、又はサーバー９０と通信可能である。第２のデバイス６０はコンピュータ９０であり、異なる位置９０に位置し得ることを理解されたい。示された典型的な実施形態において、典型的なハンドル１０は、典型的な受け部材２０に連結される。この典型的な実施形態において、典型的なハンドル１０は、典型的なハッチ２０に解除可能に連結される。典型的なハッチ２０は、典型的な工具５０に解除可能に連結される。１つの典型的な実施形態において、ハンドル１０は、プラスチック、或いは、工具５０に関連し且つ工具５０内の空洞又はチャンバ６１の内部に含まれる任意のタイプのセンサー６０に干渉しない他の物質で作られてもよい。１つの典型的な実施形態において、図１２、１５、１６に記載されるように、ハンドル１０は、更なる伸長部材７０、８０を受けるように設計される。１つの典型的な実施形態において、ハンドル１０は、更なる伸長部が、工具５０に関連する任意のセンサー６０に干渉するのを妨げる物質で作られてもよい。例えば、典型的な伸長部７０、８０が金属、又は工具５０のセンサー６０に干渉し得る他の物質で作られるといった場合、典型的なハンドル１０は、そのような起こり得る干渉を回避又は低減するためのバッファー（ｂｕｆｆｅｒ）として作用する。１つの典型的な実施形態において、典型的なハンドル１０は、干渉が原因で生じる、工具又はモバイルデバイス又は感知デバイス５０の任意の誤った読み取り或いは測定の可能性を減らすか、或いは、それらを妨げる。
【００３２】
図１３は、本発明の典型的な実施形態２３の底面図を表す。底面５９には少なくとも１つの随意のパッド５８があることが確認でき、随意のパッド５８は、工具５０が使用されている表面上を工具５０が滑らかに滑ることを可能にする。幾つかの用途のために、工具５０は、バッテリー格納部６２を有し得、そこでは、カバー６４が、バッテリー格納部６２の内部にバッテリー（図示せず）を安全に封じ込めている。カバー６４は、カバー６４を使用したバッテリー格納部６２の安全な開閉を可能にするための、ヒンジ又は固定手段又はタブ６３を有し得る。幾つかの用途のために、より低部の表面又は底面５９には、空洞又はチャンバ又は盲穴６５の内部に含まれている、インクリザーバー又はマーキング手段６６が設けられ得る。使用されない時、インクリザーバー６６は、キャップ又はカバー６８を介して保護され得る。随意に、キャップ６８はストラップ６９と共に設けられ、その一端はキャップ６８に固定され、そして対向端は、インクリザーバー６６の周囲の領域など、表面５９の一部に固定され得る。幾つかの用途のために、底面５９は、インク又はマーキング手段６６が使用されている間にキャップ又はカバー６８を安全に配置するために、キャップ又はカバーの領域６７と共に設けられ得る。インク又はマーキング手段６６は、好ましくは、ユーザー７５により望まれるように、表面上に印を付けるために使用される。
【００３３】
図１４は、典型的なハッチ２０の少なくとも１つの軸２４、２５を表す、本発明の実施形態の側面斜視図を表す。この典型的な実施形態において、少なくとも１つの軸２４、２５は凸状であり、且つ、軸２４、２５を受けるように設計される、工具５０の空洞４０内の典型的な部分又は盲穴又は雌受け手段４５への挿入が可能である。１つの実施形態において、軸２４、２５を受けるように設計される、工具５０の部分は、工具５０の空洞４０の側壁８１内に位置し得る。１つの実施形態において、典型的な部材は、軸２４、２５を受けるために使用され、工具５０の周囲に連結され得る。別の実施形態において、軸２４、２５に対する受け部分は、工具５０のあらゆる場所に位置し得る。
【００３４】
図１５は、本発明の典型的な実施形態の使用を表す。本発明の１つの実施形態において、ユーザー７５は、典型的なハンドル１０、又は少なくとも１つの伸長部材７０及び８０と連結される典型的なハンドル１０を使用することにより立位置又は座位置で、壁７４、又は天井７６、又は床７２上で作動する本発明の工具２３を使用し、又は、他の表面スキャナー５０を使用し得る。この典型的な実施形態において、ハンドル１０の先端１２は、典型的なハッチ２０との係合の後、ユーザー７５により望まれるように、ハンドル１０を回転させることにより任意の方向で、表面７２、７４、７６に沿って工具５０が３６０°回転するのを可能にするためのレバーとして作動する。工具又はデバイス５０は、埋め込まれた物体９５、数例を挙げると、例えば壁スタッド９５、金属スタッド９５、木製スタッド９５、プラスチックスタッド９５、金属物体９５、木製物体９５、プラスチック物体９５、熱シグネチャ９５、電気配線９５、配管９５、他の埋め込まれた又は隠された気体９５、液体９５、固体９５などのために表面７２、７４、７６を走査するために使用され得る。本発明は、壁、天井、又は床のスキャナー５０などのデバイス５０の、操作者７５又はユーザー７５による立ったまま又は座ったままの操作を可能にし、及び、ユーザー７５又は操作者７５が、スキャナー５０に対して自身の届く範囲を広げ且つスキャナー５０を制御することを可能にする。スキャナー又はデバイス５０は、操作者７５又はユーザー７５から広範囲の角度にあるスキャナーとなるように、表面７２、７４、７６に対して水平に保持され得る。前述のように、スキャナー又はデバイス２３、５０の配向は、走査される表面７２、７４、７６上で、ハンドル１０、７０、８０を回転させることにより制御され得る。
【００３５】
図１６は、本発明の典型的な実施形態の使用を表す。一実施形態において、ハンドル１０は、典型的な受け部材２０に解除可能に連結される。別の実施形態において、ここで典型的なハッチ２０として示される典型的な受け部材２０は、工具５０に解除可能に連結される。１つの実施形態において、典型的なハンドル１０は、少なくとも１つの伸長部材７０及び８０を受けるように伸長され得る。１つの実施形態において、各伸長部材７０及び８０は、工具５０の届く範囲を更に広げるために追加の伸長部材７０及び８０を受けるように設計され得る。図１６に示されるように、短い又は小さなハンドル１０を使用するユーザー７５の届く範囲は、半径Ｒ１までであるが、この範囲は、伸長部７０をハンドル１０に取り付けることにより半径Ｒ２まで、或いは、ハンドル１０に固定される入れ子式の伸長部８０又は伸長部８０を形成するように直列で取り付けられる複数の伸長部７０を使用することにより、半径Ｒ３などの更に大きな半径にまで容易に伸長され得る。それ故、ユーザー７５は、同じ場所から、本発明の受け部材２０に固定されるハンドル１０を使用することにより、工具５０に対してより長い距離にアクセスすることができることが認識される。前述のように、ハンドル取り付け具１０、７０、８０は、異なる所望の総体的な範囲、数例を挙げると範囲Ｒ１、範囲Ｒ２、範囲Ｒ３などを収容するように交換可能であり得る。ユーザー７５は、座位置からこのデバイス２３を使用することができ、及び、デバイス２３が複数の伸長部１０、７０、８０及び範囲Ｒ１、Ｒ２、Ｒ３を持つため、ユーザー７５はまた、床面７２を走査するのに膝を付いたり、又は天井面７６に届くようにハシゴを使用したりする必要はないことが認識される。同様に、デバイス又は工具５０、２３は、ユーザー７５により望まれるように、１つの位置から別の位置７２、７４、７６へと再配向され得る。
【００３６】
前に説明された様々な典型的な実施形態において、典型的なハッチ２０は、各種機能を実行するために工具５０に着脱可能に接続される。様々な典型的な実施形態において、工具５０は、壁スタッド（図示せず）の中心点を測定するために使用される表面スキャナー５０となりうる。典型的な実施形態において、典型的なハッチ２０は、好ましくは、典型的な工具５０の空洞４０内に収容される。典型的な実施形態において、ハッチ２０は、軸２４および軸２５によって、典型的な工具５０の空洞４０内の垂直軸のまわりで回転することが可能である。典型的な実施形態において、ハッチ２０は、好ましくは少なくとも１つの軸２４、２５を有する一方、ハンドル１０は、好ましくは少なくとも１つの軸１３、１４を有するため、ハッチ２０が第１の回転方向に回転するか、または移動することが可能となり、かつハンドルが第２の回転方向に回転するか、または移動することが可能となる。例えば、第１の回転方向は垂直の動きである一方、第２の回転方向は側方の動きでありうるか、またはその逆も成立する。
【００３７】
典型的な実施形態において、ハンドル１０がハッチ２０と係合されるとき、工具５０は、ユーザー７５によって望まれる場合は、垂直軸または水平軸などの第２の軸に沿う動きを可能にしつつ、水平軸などの第一軸または垂直軸に沿って動かされてもよい。典型的な実施形態において、ハッチ２０と係合した後のハンドル１０の先端１２は、支点を作り出し、工具５０を表面７２、７４、７６に沿って３６０度回転させることができるレバーとして動作する。
【００３８】
ポールもしくはハンドル１０、延長ポール７０、または入れ子式のポール８０は、好ましくは、いくつか名前を挙げるとするなら、プラスチック、ポリカーボネート、アクリロニトリルブタジエンスチレン（ＡＢＳ）、複合材料、金属、木材、およびそれらの組み合わせを含む群から選択される材料から作られてもよい。
【００３９】
限定されないが、例えば、壁面を形作る据え付けられたシートロック、または壁板などの面の後ろの、金属スタッド、木材スタッド、およびプラスチックスタッドを含む壁スタッド、金属物体、木製物体、熱シグネチャ、電気配線、配管、ならびに埋設された、もしくは隠された気体、液体、もしくは固体の位置を突き止めるために本発明において使用される工具２３は、ソフトウェア命令を実行する１つ以上のコンピュータ上で実施されてもよい。本発明の一実施形態に従って、使用される工具２３は、コンピュータネットワーク９１、またはファイバーもしくは銅ベースの電気通信ネットワーク９１にわたってデータを送受信するサーバー９０およびクライアントコンピュータシステム９０と通信してもよい。本発明の他の態様と同様に、データにアクセスし、ダウンロードし、そして処理するステップは、サーバー９０内の中央処理装置（ＣＰＵ）によって実行され、クライアントコンピュータが、メモリ９０内に記憶された命令のシーケンスを実行する。そのメモリは、ランダムアクセスメモリ（ＲＡＭ）９０、リードオンリーメモリ（ＲＯＭ）９０、大容量記憶装置９０などの永続的記憶装置９０、またはこれらの装置９０のいかなる組み合わせであってもよい。命令のシーケンスを実行することで、ＣＰＵ９０に本発明の実施形態に記載のステップを実行させる。
【００４０】
命令は、ネットワーク接続９１にわたって、記憶装置９０から、または１つ以上の他のコンピュータシステム９０から、サーバーまたはクライアントコンピュータ９０のメモリへとロードされてもよい。例えば、クライアントコンピュータ９０は、サーバー９０によって、ネットワーク９１にわたってクライアントへ送信されたメッセージに応じて、サーバーコンピュータ９０へ命令のシーケンスを送信してもよい。サーバー９０は、ネットワーク接続９１にわたって命令を受信すると、メモリ９０内に命令を記憶する。サーバー９０は、または命令がネットワーク接続９１を介して届くと、その後の実行のために命令を記憶するか、命令を実行することもある。場合によっては、ＣＰＵ９０はダウンロードされた命令を直接サポートしてもよい。他の場合において、その命令は、ＣＰＵ９０によって直接実行可能であってもよいし、その命令を解釈するインタープリターによって代わりに実行されてもよい。他の実施形態において、ハードワイヤード回路が、本発明を実施するためのソフトウェア命令の代わりに、またはソフトウェア命令と組み合わせて使用されることもある。したがって、本発明において使用される工具は、ハードウェア回路およびソフトウェアの特定の組み合わせにも、サーバーまたはクライアントコンピュータ９０によって実行される命令のための特定のソースにも限定されない。いくつかの例において、クライアントおよびサーバーの機能性は、単一のコンピュータプラットフォーム９０上で実施されてもよい。
【００４１】
本発明のクリップまたはハッチ２０は、迅速に、取り付けることが可能であるか、または工具５０もしくはハンドル１０、７０、８０から取り外すことが可能であることが理解されるだろう。さらにハッチ２０は、応力下で、工具２０の空洞４０から飛び出すか、もしくはハンドル１０、７０、および８０の先端１２上で軸１３、１４から飛び出すように構成されるか、またはその逆も成立するように構成される。したがって、応力の下で、構成要素１０、２０、４０、および５０のいずれも破損することはなく、そして各構成要素１０、２０、４０、および５０は、互いに、容易に、取り付けるもしくは取り外すことができるか、または組み立てるもしくは再び組み立てることができる。
【００４２】
本発明の実施形態は、本明細書の一部を形成し、かつ例示によって本発明が実施されることもある特定の典型的な実施形態を示す添付の図面を参照して、より完全に、以下に記載される。しかしながら、本発明は多くの様々な形態で具体化されてもよく、本明細書で説明される実施形態に限定されてはならない。むしろ、開示された実施形態は、本開示が徹底的でかつ完全なものとなるように提供され、当業者に本発明の範囲を完全に伝えるものである。
【００４３】
本明細書および請求項全体にわたって、以下の用語は、文脈上明らかに別の意味を規定していると判断されない限り、本明細書に明瞭に関連する意味であると理解される。明細書において使用されるようなフレーズ「一実施形態において」は、同じ実施形態を指してもよいが、必ずしもそうではない。さらに、明細書において使用されるようなフレーズ「別の実施形態において」は、異なる実施形態を指してもよいが、必ずしもそうではない。したがって、下記のように、本発明の様々な実施形態は、本発明の範囲または精神から逸脱することなく、容易に組み合わせられてもよい。
【００４４】
依然として、さらに、本発明の特定の実施形態が記載されている一方、これらの実施形態は、単に例としてのみ示されており、本発明の範囲を限定するようには意図されない。実際に、本明細書に記載される新規性のある方法およびシステムは、様々な他の形態で具体化されてもよく；さらに、本明細書に記載される様々な方法およびシステムの形態の省略、置き換え、および変更は、本発明の精神から逸脱することなく行われてもよい。
【００４５】
本明細書および請求項において使用されるように、用語「例えば（ｆｏｒ  ｅｘａｍｐｌｅ）」「例えば（ｆｏｒ  ｉｎｓｔａｎｃｅ）」、「などの（ｓｕｃｈ  ａｓ）」、および「のような（ｌｉｋｅ）」、ならびに動詞「含む（ｃｏｍｐｒｉｓｉｎｇ）」「有する（ｈａｖｉｎｇ）」、「含む（ｉｎｃｌｕｄｉｎｇ）」、およびそれらの他の動詞形は、それぞれ、１つ以上の構成要素または他の項目のリストと合わせて使用されたときに、制限しないものとして解釈され、そのリストが、他の付加的な構成要素または項目を除くものとしてみなされないことを意味する。他の用語は、もしそれらが異なる解釈を必要とする文脈において使用されていなければ、それらの最も広い合理的な意味を用いて解釈される。
【００４６】
したがって、本発明は、本明細書に記載された実施形態に限定されず、本発明の構成要素は、本発明の精神および範囲から逸脱することなく様々な方法で変更されうる。本発明の様々な態様は、実施形態において開示された複数の構成要素の任意の適切な組み合わせからも抜粋されうる。いくつかの構成要素は、実施形態において開示された構成要素のすべてにおいて削除されることもある。様々な実施形態において記載された構成要素は、恣意的に組み合わせられてもよい。
【図１】
2018136325.tif 000003
【図２】
2018136325.tif 000004
【図３】
2018136325.tif 000005
【図４】
2018136325.tif 000006
【図５】
2018136325.tif 000007
【図６】
2018136325.tif 000008
【図７】
2018136325.tif 000009
【図８】
2018136325.tif 000010
【図９】
2018136325.tif 000011
【図１０】
2018136325.tif 000012
【図１１】
2018136325.tif 000013
【図１２】
2018136325.tif 000014
【図１３】
2018136325.tif 000015
【図１４】
2018136325.tif 000016
【図１５】
2018136325.tif 000017
【図１６】
2018136325.tif 000018
【外国語明細書】
2018136325000001.pdf